(57)【特許請求の範囲】
【請求項１】
ポンプ取付台を介してポンプ装置及びその付属部品をマンホール底部に支持するポンプ装置の支持構造体であって、
ポンプ取付台を繊維強化樹脂で形成すると共に、該ポンプ取付台の前記ポンプ装置及びその付属部品の荷重を支える部分を架台部を介して前記マンホール底部に支持する構成とし、該架台部を前記ポンプ取付台に当接する天板部材と、前記マンホール底部に当接する台座部材で構成し、前記天板部材に引張り強度の強い樹脂材を用い、前記台座部材に圧縮強度に優れた樹脂材を用いたことを特徴とするポンプ装置の支持構造体。
【発明の詳細な説明】
【０００１】
【発明の属する技術分野】
本発明は、下水中継マンホール等のマンホール内に据え付けるポンプ装置の支持構造体に関し、マンホール内における油脂等の有機成分の流入によるスカム形成をできるだけ少なくし得るように工夫されたポンプ装置の支持構造体に関するものである。
【０００２】
【従来の技術】
図３は従来のマンホール内に据え付けられたポンプ装置及び取付台の構造を示す図である。１は下水中継用のマンホールであり、該マンホール１の底部には繊維強化樹脂材で成形されたポンプ取付台２が据え付けられている。該ポンプ取付台２はマンホール１が完成した後でも据え付けることができるように、分割されて構成されている。
【０００３】
ポンプ取付台２にポンプ３を据え付けるために必要な強度を確保するためと、該ポンプ取付台２をマンホール１内に固定するために、該ポンプ取付台２とマンホール１との間にコンクリート４を充填している。また、ポンプ取付台２の下部に金属製架台２−１を設け、この部分を含めてコンクリート４を充填して補強する場合もある。
【０００４】
【発明が解決しようとする課題】
上記従来構造では、ポンプ取付台２をマンホール１内に搬入後、コンクリート４を充填する場合、狭いマンホール１内でコンクリート４を充填する作業が面倒な上に、コンクリート４の養生を待たなければポンプを据え付けることができず、工期が長くなるという問題があった。また、ポンプ取付台２をマンホール１内に搬入する前に予めポンプ取付台２の下部にコンクリート４を充填しておく場合は重量が重くなり、マンホール１への据え付け作業が難しくなるという問題があった。
【０００５】
本発明は上述の点に鑑みてなされたもので、マンホール内でのコンクリートの充填作業を無くし、ポンプ取付台の据え付け作業が容易で、且つ工期を短縮できるマンホール内に据え付けるポンプ装置の支持構造体を提供することを目的とする。
【０００６】
【課題を解決するための手段】
上記問題点を解決するため本発明は、ポンプ取付台を介してポンプ装置及びその付属部品をマンホール底部に支持するポンプ装置の支持構造体であって、ポンプ取付台を繊維強化樹脂で形成すると共に、該ポンプ取付台のポンプ装置及びその付属部品の荷重を支える部分を架台部を介してマンホール底部に支持する構成とし、該架台部をポンプ取付台に当接する天板部材と、マンホール底部に当接する台座部材で構成し、天板部材に引張り強度の強い樹脂材を用い、台座部材に圧縮強度に優れた樹脂材を用いたことを特徴とする。
【０００７】
【発明の実施の形態】
以下、本発明の実施の形態例を図面に基づいて説明する。図１（ａ）は本発明の取付台及びポンプ装置をマンホール内に据え付けた構造を示す図で、図１（ｂ）はポンプ取付台の平面を示す図である。図示するように、マンホール１の底部にポンプ取付台２が据え付けられている。該ポンプ取付台２は図１（ｂ）のＡ−Ａ線上で分割して繊維強化樹脂で形成されており、全体が凹状で更にポンプ３の吸込口３−１が位置する部分が凹状２ａに形成されている。ポンプ３は着脱装置５に着脱できるように構成され、該着脱装置５の反ポンプ３側には吐出し配管９が装着されている。なお、図１（ａ）のポンプ取付台２は同図（ｂ）のＢ−Ｂ断面を示す。
【０００８】
ポンプ取付台２にはポンプ３、着脱装置５及び吐出し配管９の重量（荷重）が加わるためその部分には、該重量を支持するための樹脂製架台１０が設けられている。該樹脂製架台１０は天板部材１０−１と台座部材１０−２とから構成されている。天板部材１０−１には引張り強度に優れた樹脂材、例えばＤＣＰＤ（ジシクロペンタジュン）材を用い、台座部材１０−２には圧縮強度に優れた樹脂材、例えばポリエステル樹脂＋発泡樹脂材を用いる。樹脂製架台１０にこのような構造を採用することにより、従来のように金属製架台を使用し、コンクリートを充填する構造としなくとも、ポンプ３、着脱装置５及び吐出し配管９の重量を支えることができるポンプ取付台２となる。なお、台座部材１０−２の樹脂材を充填する範囲は前記重量を支持できる強度があれば、全てを充填する場合と、一部を空洞にして残す場合がある。
【０００９】
図２は上記ポンプ装置の取付台及びポンプ装置を下水中継マンホールに据え付けた状態を示す図である。マンホール１はその側壁には下水の流入口８が設けられ、作業員が出入りするためのステップ金具１１が上下方向に設けられ、更に上部地表面にはマンホール蓋１２が設けられている。マンホール１の底部には上記樹脂製架台１０を持つ構造のポンプ取付台２が据え付けられている。
【００１０】
ポンプ取付台２の樹脂製架台１０が位置する部分には着脱装置５が据え付けられ、該着脱装置５に２台のポンプ（水中ポンプ）３，３’の吐出口が装着され、該着脱装置５の反ポンプ３，３’側には吐出し配管９が装着されている。また、ガイドパイプ１３の下端は着脱装置５に固定されている。
【００１１】
また、６は水位検出器、７は地上に設置された制御盤、１４はフロートスイッチである。水位検出器６及びフロートスイッチ１４からの信号はそれぞれ信号線ケーブル１７，１８を通して制御盤７に送られる。また、ポンプ３，３’と制御盤７の間は制御信号及びポンプ駆動電力を送るためのケーブル１９で接続される。
【００１２】
マンホール１が完成した後にポンプ３，３’を据え付けるには、先ずマンホール１の底部に、上記天板部材１０−１と台座部材１０−２からなる樹脂製架台１０を持つ構造のポンプ取付台２を据え付け、該ポンプ取付台２の上に着脱装置５及びガイドパイプ１３を設置し、更に該着脱装置５に吐き出し配管９やポンプ３，３’を装着する。
【００１３】
ポンプ３，３’の据え付けは、鎖１６でポンプ３，３’を吊り下げ、更にガイドパイプ１３を上下するスライドガイド１５（図１を参照）でポンプ３，３’をガイドパイプ１３に沿って案内させ、ポンプ３，３’の吐出口が着脱装置５に一致するまで下降させ、該吐出口を着脱装置５に装着することで行う。
【００１４】
上記構造の下水中継マンホールにおいて、下水の流入口８から下水がマンホール１内に流入し、下水水位が上昇し、フロートスイッチ１４が作動すると、制御盤７はポンプ３又はポンプ３’を起動し、マンホール内の下水を吐出し配管９を通して、送水する。そして水位が下がり、水位検出器６が下限水位を検知したら制御盤７はポンプ３又はポンプ３’を停止する。
【００１５】
上記のように、マンホール１の底部に据え付けられた該ポンプ取付台２の上に着脱装置５が固定され、該着脱装置５にポンプ３，３’及び吐出し配管９が装着される。これによりこれらの荷重が全て着脱装置５を介してポンプ取付台２に加わるが、ポンプ取付台２に引張り強度に優れた樹脂材からなる天板部材１０−１と圧縮強度に優れた樹脂材からなる台座部材１０−２とで構成される樹脂製架台１０が設けられているから、この荷重は該樹脂製架台１０で支持される。従って、従来のようにポンプ取付台の固定と支持強度を得るために、該ポンプ取付台とマンホールとの間にコンクリートを充填する必要はなくなる。
【００１６】
なお、上記例では下水中継マンホールを例に説明したが、本発明のポンプ装置の取付台は下水中継マンホールに限定されるものではなく、コンクリート打ち込み作業が困難な狭いマンホールの底部にポンプ装置を据え付ける場合の取付台として広く利用することが可能である。
【００１７】
【発明の効果】
以上説明したように、本発明によれば、ポンプ取付台を繊維強化樹脂で形成すると共に、該ポンプ取付台のポンプ装置及びその付属部品の荷重を支える部分を架台部を介してマンホール底部に支持する構成とし、該架台部をポンプ取付台に当接する天板部材と、マンホール底部に当接する台座部材で構成し、天板部材に引張り強度の強い樹脂材を用い、台座部材に圧縮強度に優れた樹脂材を用いるので、下記のような優れた効果が得られる。
【００１８】
(1)ポンプ支持構造体が簡単な構成となり、大幅に軽量化でき、マンホールの据え付け作業が容易となる。
【００１９】
▲２▼また、取付台とマンホール底部の間にコンクリートを充填する必要がないから、コンクリートの充填及び養生が不要となりポンプ装置据え付けのための工期を短縮でき、経済的効果が大きい。
【図面の簡単な説明】
【図１】本発明の取付台及びポンプ装置をマンホール内に据え付けた状態を示す図で、同図（ａ）は断面図、同図（ｂ）はポンプ取付台の平面図である。
【図２】本発明の取付台及びポンプ装置を下水中継マンホールに据え付けた状態を示す図である
【図３】従来のマンホール内に据え付けられたポンプ装置及び取付台の構造を示す図である。
【符号の説明】
１            マンホール
２            ポンプ取付台
３，３’      ポンプ
５            着脱装置
６            水位検出器
７            制御盤
８            下水の流入口
９            吐出し配管
１０          樹脂製架台
１０−１      天板部材
１０−２      台座部材
１１          ステップ金具
１２          マンホール蓋
１３          ガイドパイプ
１４          フロートスイッチ
１５          スライドガイド
１６          鎖
１７，１８    信号線ケーブル
１９          ケーブル
【図１】
0003587495.tif 000002
【図２】
0003587495.tif 000003
【図３】
0003587495.tif 000004